(57)【要約】【課題】プラテンローラの表面に凹版状のパターンを組み込むことによって、セキュリティ性を高めたパスポートやＩＤカードの印刷を可能とした熱転写プリンターを提供する。【解決手段】パスポートやＩＤカードに図形や文字を印刷する際に、熱転写リボンの転写層を中間転写フィルムに転写した後、パスポートやＩＤカードに熱転写して図形や文字を印刷する熱転写プリンターであって、少なくとも表面に凹版状のパターンを有するプラテンローラと、熱転写リボンの転写層を前記プラテンローラに押圧するサーマルヘッドと、を備え、更に前記凹版状のパターンを図形や文字に重ねて印刷することを特徴とする熱転写プリンター。【選択図】図４
2011251490.tif 000002
【特許請求の範囲】
【請求項１】
パスポートやＩＤカードに図形や文字を印刷する際に、熱転写リボンの転写層を中間転写フィルムに転写した後、パスポートやＩＤカードに熱転写して図形や文字を印刷する熱転写プリンターであって、少なくとも
表面に凹版状のパターンを有するプラテンローラと、
熱転写リボンの転写層を前記プラテンローラに押圧するサーマルヘッドと、を備え、更に
前記凹版状のパターンを図形や文字と重ねて印刷することを特徴とする熱転写プリンター。
【請求項２】
前記凹版状のパターンはプラテンローラに直接レーザを用いて製作されることを特徴とする請求項１記載の熱転写プリンター。
【発明の詳細な説明】
【技術分野】
【０００１】
本発明は、耐偽造や耐変造が必要なパスポートやＩＤカードなどを印刷する際に用いられる熱転写プリンターに関するものである。
【背景技術】
【０００２】
近年、官公庁、銀行、会社、医療機関、及び学校などのサービス産業分野では、パスポートや身分証明書、外国人登録証、図書館利用カード、キャッシュカード、クレジットカード、自動車運転免許証、従業員証、社員証、会員証、医療カード及び学生証などのＩＤカードが普及している。この種のパスポートやＩＤカードには、本人認識用の顔画像、及び所有者に関する文字や記号などの文字情報が印刷されている。
【０００３】
上記パスポートやＩＤカードにはセキュリティの高い信頼性が求められる。以下、ＩＤカードを印刷する場合を例として説明する。
【０００４】
図１は従来から行われているＩＤカードを印刷する印刷方式の一例を示したものである。印刷方式はインクジェット印刷機構や熱転写印刷機構が代表例として挙げられるが、図１は熱転写印刷機構を示した図である。熱転写印刷機構による印刷方式は、直接転写方式と中間転写方式がある。図１は中間転写方式の熱転写印刷機構の概略を示す図で、熱転写リボン２１はリボン巻き出しローラ２２から供給され、ローラ２３を介した後、サーマルヘッド２４によって熱転写リボン２１のリボン基材面から押圧される。中間転写フィルム３１は中間転写フィルム巻き出しローラ３２から供給され、ローラ３３を介した後、プラテンローラ２７上で押圧された熱転写リボン２１の熱転写層に接し転写層が転写される。カード基材２５はカード基材供給ローラ２６から供給される。カード基材２５はローラ３７を介して移送される。中間転写フィルムに転写された転写層が二次転写部３４のローラ３５及びローラ３６によってカード基材２５に転写された後、カード基材２５は矢印６１で示される方向に搬送される。転写された後の中間転写フィルム３９はローラ３８を介した後、中間転写フィルム巻取りローラ４０に巻き取られる。また、プラテンローラ２７上で転写された後の熱転写リボン２９は、ローラ２８を介した後、熱転写リボン巻取りローラ３０に巻き取られる。
【先行技術文献】
【特許文献】
【０００５】
【特許文献１】特許第３６３２４４４号公報
【発明の概要】
【発明が解決しようとする課題】
【０００６】
本発明は、上記中間転写方式の熱転写印刷機構によって、セキュリティ性を高めたパスポートやＩＤカードの印刷を可能とした熱転写プリンターを提供することを課題とする。
【課題を解決するための手段】
【０００７】
本発明の請求項１に係る発明は、パスポートやＩＤカードに図形や文字を印刷する際に、熱転写リボンの転写層を中間転写フィルムに転写した後、パスポートやＩＤカードに熱転写して図形や文字を印刷する熱転写プリンターであって、少なくとも
表面に凹版状のパターンを有するプラテンローラと、
熱転写リボンの転写層を前記プラテンローラに押圧するサーマルヘッドと、を備え、更に前記凹版状のパターンを図形や文字と重ねて印刷することを特徴とする熱転写プリンタ
ーである。
【０００８】
本発明の請求項２に係る発明は、前記凹版状のパターンはプラテンローラに直接レーザを用いて製作されることを特徴とする請求項１記載の熱転写プリンターである。
【発明の効果】
【０００９】
本発明によれば、凹版状の文字や模様のパターンを備えたプラテンローラを用いることによって、パスポートやＩＤカードに微細な文字や模様を顔写真や氏名等の図形や文字中に埋め込むことが出来るため、偽造しにくいセキュリティ性の高いパスポートやＩＤカードを印刷することが出来、偽造や変造防止に効果がある。
【図面の簡単な説明】
【００１０】
【図１】従来から行われているＩＤカードを印刷する印刷方式の一例を示す図。
【図２】本発明に係る熱転写プリンターの概略構成図。
【図３】本発明に係る熱転写プリンターのプラテンローラを詳細に説明するための図。
【図４】本発明に係る熱転写プリンターのプラテンローラの凹版状のパターンを示した図
【発明を実施するための形態】
【００１１】
以下、発明を実施するための形態を図を用いて説明する。
【００１２】
図２は本発明に係る熱転写プリンターの概略構成図であって、例えばＩＤカードに画像を形成する場合を示す図である。熱転写リボン１はリボン巻き出しローラ２から供給され、ローラ３を介した後、サーマルヘッド４によって熱転写リボン１のリボン基材面から押圧される。中間転写フィルム１１は中間転写フィルム巻き出しローラ１２から供給され、ローラ１３を介した後、プラテンローラ７上で押圧された熱転写リボン１の熱転写層に接し転写層が転写される。カード基材５はカード基材供給ローラ６から供給される。中間転写フィルムに転写された転写層が二次転写部１４のローラ１５及びローラ１６によってカード基材５に転写され、ローラ１７を介して移送されたカード基材５に画像が形成され、矢印５１で示される方向に搬送される。転写された後の中間転写フィルム１９はローラ１８を介した後、中間転写フィルム巻取りローラ２０に巻き取られる。また、プラテンローラ７上で転写された後の熱転写リボン９は、ローラ８を介した後、熱転写リボン巻取りローラ１０に巻き取られる。
【００１３】
図３は本発明に係る熱転写プリンターのプラテンローラ７を詳細に説明するための図で、プラテンローラ７の表面には凹版状のパターン７−１や７−２が備えられている。
【００１４】
図４は図３に示される凹版状のパターン７−１や７−２を示した図で、凹版状のパターン７−１には例えばＴＯＰの模様が凹版状を成して設けられており、また凹版状のパターン７−２は顔画像に重なって設けられる。凹版状のパターン７−１や７−２はプラテンローラ７の断面に対して凹状であるために、１次転写時のプラテンローラの凹版状のパターンの部分はサーマルヘッドからの熱伝達が他の部分に比べ効率が悪く、その結果、凹版状のパターン７−１や７−２の部分は転写されないため、拡大図１０１に示すように、凹版状の模様を、印刷画像内に埋め込むことが出来る。
【００１５】
即ち、凹版状のパターン７−１や７−２の文字や模様は、目視では判別できないほどの微細なパターンとすることが出来、拡大図１０１のように凹版状のパターン７−１はサーマルヘッドのドット１０２の中に埋め込むことが出来るためセキュリティ性を高めることが出来る。また、凹版状のパターン７−２は顔画像１０３に重ねたり、複雑なパターンにすることによって、セキュリティ性を高めることが出来る。
【００１６】
プラテンローラ７の表面に設けられる凹版状のパターンは、プラテンローラに直接レーザを用いて製作されるが、これに限定されず他のパターニング技術を採用しても良い。
【００１７】
リボン基材はイエロー、マゼンタ、シアン、ブラックの各色を含む色リボンが用いられるが、本発明に係る熱転写プリンターにおいてもドットオンドットにより各色のドットを重ね合わせてカラー表現することによって、更にセキュリティ性を高めることが出来る。
【００１８】
ドットオンドットとは、１色目のドットに対して、２色目、３色目のドットを重ねることを指し、プラテンローラ７の回転位置は、例えば、ロータリーエンコーダをプラテンローラの回転軸に設け、ロータリーエンコーダのパルス数をカウントすることによって回転角度を制御して達成することが出来る。
【００１９】
このように本発明の熱転写プリンターによれば、凹版状の文字や模様を備えたプラテンローラを用いることによって、パスポートやＩＤカードに微細な文字や模様を顔写真や氏名といった図形や文字の中に埋め込むことが出来るため、セキュリティ性の高いパスポートやＩＤカードを印刷することが出来る。
【符号の説明】
【００２０】
１・・・熱転写リボン
２・・・リボン巻き出しローラ
３・・・ローラ
４・・・サーマルヘッド
５・・・カード基材
６・・・カード基材供給ローラ
７・・・プラテンローラ
７−１、７−２・・・凹版状のパターン
８・・・ローラ
９・・・転写された後の熱転写リボン
１０・・・熱転写リボン巻取りローラ
１１・・・中間転写フィルム
１２・・・中間転写フィルム巻き出しローラ
１３・・・ローラ
１４・・・二次転写部
１５・・・ローラ
１６・・・ローラ
１７・・・ローラ
１８・・・ローラ
１９・・・転写された後の中間転写フィルム
２０・・・中間転写フィルム巻取りローラ
２１・・・熱転写リボン
２２・・・リボン巻き出しローラ
２３・・・ローラ
２４・・・サーマルヘッド
２５・・・カード基材
２６・・・カード基材供給ローラ
２７・・・プラテンローラ
２８・・・ローラ
２９・・・転写された後の熱転写リボン
３０・・・熱転写リボン巻取りローラ
３１・・・中間転写フィルム
３２・・・中間転写フィルム巻き出しローラ
３３・・・ローラ
３４・・・二次転写部
３５・・・ローラ
３６・・・ローラ
３７・・・ローラ
３８・・・ローラ
３９・・・転写された後の中間転写フィルム
４０・・・中間転写フィルム巻取りローラ
５１・・・カード基材５が搬送される方向を示す矢印
６１・・・カード基材２５が搬送される方向を示す矢印
１０１・・・拡大図
１０２・・・ドット
１０３・・・顔画像
【図１】
2011251490.tif 000003
【図２】
2011251490.tif 000004
【図３】
2011251490.tif 000005
【図４】
2011251490.tif 000006